(57)【要約】【課題】本発明は、貫通孔を手掛かりにして電気音響変換器のみならず、その他の構成、の配設位置を把握することのできる携帯端末装置を提供することを目的とする。【解決手段】本発明の携帯端末装置１は、相互に重ね合わせ可能な２つの筺体２，３と、これら２つの筺体２，３を重ね合わせ方向に沿う基準軸線Ｌ１回りに相互に回動可能に連結する連結手段５と、前記筺体３内に設けられた電気音響変換器１９と、を有し、前記筺体３は、前記２つの筺体２，３を重ね合わせたときに対向する重合面と反対の表面側に前記電気音響変換器１９と前記筺体３外方とを連通させる貫通孔２１，２３が形成され、前記貫通孔２１，２３は、前記基準軸線Ｌ１の近傍に環状に形成された凹部１７に形成される、ことを特徴とする。【選択図】図３
2008005561.tif 000002
【特許請求の範囲】
【請求項１】
相互に重ね合わせ可能な２つの筺体と、
これら２つの筺体を重ね合わせ方向に沿う基準軸線回りに相互に回動可能に連結する連結手段と、
前記筺体内に設けられた電気音響変換器と、を有し、
前記筺体は、前記２つの筺体を重ね合わせたときに対向する重合面と反対の表面側に前記電気音響変換器と前記筺体外方とを連通させる貫通孔が形成され、
前記貫通孔は、前記基準軸線の近傍に環状に形成された凹部に形成される、ことを特徴とする携帯端末装置。
【請求項２】
前記貫通孔は、前記凹部の側壁部に形成される、ことを特徴とする請求項１に記載の携帯端末装置。
【請求項３】
前記電気音響変換器がスピーカー又はマイクロフォンであることを特徴とする請求項１または請求項２に記載の携帯端末装置。
【発明の詳細な説明】
【技術分野】
【０００１】
この発明は、筐体内部に電気音響変換器を備えた携帯端末装置に関する。
【背景技術】
【０００２】
従来より、電気信号を音響に変換したり、音響を電気信号に変換したりする電気音響変換器が筐体の内部に設けられ、音響を筐体の内外に伝播させるための貫通孔が筐体の表面に形成された携帯端末装置の一例である電子機器が知られている（例えば、特許文献１参照。）。
【特許文献１】特開２０００−２０１３８８号公報
【発明の開示】
【発明が解決しようとする課題】
【０００３】
しかし、このような電子機器に代表される従来の携帯端末装置は、音響を筐体の内外に伝播させるための貫通孔が単に筐体の表面に形成されるのみであるため、携帯端末装置の使用者は、その貫通孔を手掛かりにして電気音響変換器の配設位置については把握できるものの、その他の構成の配設位置については把握することができない、という課題があった。
【０００４】
この発明は、上述した課題に鑑みてなされたものであって、貫通孔を手掛かりにして電気音響変換器のみならず、その他の構成、特に、携帯端末装置が相互に重ね合わせ可能な２つの筺体と、これらの２つの筺体を重ね合わせ方向に沿う基準軸線回りに相互に回動可能に連結する連結手段とを有する場合における当該連結手段の配設位置を把握することのできる携帯端末装置を提供することを目的とする。
【課題を解決するための手段】
【０００５】
本発明の携帯端末装置は、相互に重ね合わせ可能な２つの筺体と、これら２つの筺体を重ね合わせ方向に沿う基準軸線回りに相互に回動可能に連結する連結手段と、前記筺体内に設けられた電気音響変換器と、を有し、前記筺体は、前記２つの筺体を重ね合わせたときに対向する重合面と反対の表面側に前記電気音響変換器と前記筺体外方とを連通させる貫通孔が形成され、前記貫通孔は、前記基準軸線の近傍に環状に形成された凹部に形成される、ことを特徴とする。
【０００６】
好適には、前記貫通孔は、前記凹部の側壁部に形成される、ことを特徴とする。
【０００７】
好適には、前記電気音響変換器がスピーカー又はマイクロフォンであることを特徴とする。
【発明の効果】
【０００８】
本発明の携帯端末装置は、使用者が、貫通孔を手掛かりにして電気音響変換器のみならず、その他の構成、特に、携帯端末装置が相互に重ね合わせ可能な２つの筺体と、これらの２つの筺体を重ね合わせ方向に沿う基準軸線回りに相互に回動可能に連結する連結手段とを有する場合における当該連結手段の配設位置を容易に把握することができる。
【発明を実施するための最良の形態】
【０００９】
図１から図３は本発明に係る一実施形態を示しており、ここで説明する実施の形態は、この発明を携帯電話機に適用した場合のものである。この実施の形態に係る携帯電話機（携帯端末装置）１は、図１に示すように、第１の筐体２と、第１の筐体２の表面２ａに重ね合わせ可能な第２の筐体３と、これら２つの筐体２，３を第１の筐体２の表面２ａに直交する第１の軸線Ｌ１回りに相互に回動可能に連結すると共に、第２の筐体３を第１の軸線Ｌ１に直交する第２の軸線Ｌ２回りに揺動可能に連結する連結手段５とを備えている。
【００１０】
第１の筐体２の表面２ａには、通話キー、終話キー、数字キー等の各種の押圧可能な操作キーからなる操作部７が設けられている。また、この表面２ａのうち、第１の筐体２の先端部２ｂ（連結手段５と反対側の端部）にはマイクロフォン部９が設けられている。これら操作部７及びマイクロフォン部９は、第１、第２の筐体２，３を互いに重ね合わせて閉じた状態において、第２の筐体３により覆い隠される。
【００１１】
第２の筐体３の表面３ａには、各種の情報を表示する表示部１１が設けられている。また、表面３ａのうち、第２の筐体３の先端部３ｂ（連結手段５と反対側の端部）には第１のスピーカー部１３が設けられ、連結手段５が位置する第２の筐体３の基端部３ｃには、第２のスピーカー部１５が設けられている。
【００１２】
これら表示部１１及び２つのスピーカー部１３，１５は、２つの筐体２，３の開閉状態にかかわらず、外方に露出している。第１のスピーカー部１３は、開状態において、マイクロフォン部９と共に通話の際に使用するものである。また、第２のスピーカー部１５は、閉状態において、マイクロフォン部９と共に通話の際に使用するものである。なお、第１、第２のスピーカー部１３，１５は、通話の着信、電子メールの受信、アラーム等の情報を音響により報知するためにも使用されるようになっている。
【００１３】
なお、図１（ｃ）では、第１の筐体２の表面２ａと、第２の筐体３の表面３ａの背面側に位置する裏面（重合面）３ｅとを当接させた状態を図示しているが、実際には、これら表面２ａと裏面３ｅとの間には微小な空間が設けられている。
【００１４】
ところで、第２のスピーカー部１５は、図２，３に示すように、第２の筐体３の表面３ａを構成する壁部１８に形成され、前記表面３ａから内方に窪んだ円環状の凹部１７と、この凹部１７の内側壁部１７ａに形成された２つの貫通孔２１，２３と、第２の筐体３の内部に設けられ、前記２つの貫通孔２１，２３と対向する位置に固定されたスピーカーとしての電気音響変換器１９と、この電気音響変換器１９からの音響を前記２つの貫通孔２１，２３へ導く通音孔２４とを備えている。なお、本実施形態における電気音響変換器１９は、電気信号を音響に変換するものであり、その表面１９ａから壁部１８へ向けて音響を発生するように配置されている。
【００１５】
前記凹部１７の内側壁部１７ａは、第２の筐体３の表面３ａに略垂直に形成されている。また、内側壁部１７ａの表面１７ｄ（側壁部）に対向する外側壁部１７ｂの表面１７ｅは、凹部１７の底面１７ｃから第２の筐体３の表面３ａに向けて外側に広がる傾斜面となっている。したがって、以上の構成により、電気音響変換器１９より発生された音響を内側壁部１７ａに形成された２つの貫通孔２１，２３を介して放音させ、放音された音響を前記傾斜する外側壁部１７ｂで反射させることにより、第２の筐体３の表面３ａから離間する方向に伝播させるようになっている。
【００１６】
また、第２の筐体３の壁部１８のうち、表面３ａの背面側に位置する内面３ｆには、第１の軸線Ｌ１方向に突出する円環状の突出壁部２５が形成されており、この突出壁部２５の先端部２５ａは、電気音響変換器１９の表面１９ａ側に当接している。この突出壁部２５により、電気音響変換器１９と貫通孔２１，２３との間の空間が第２の筐体３の他の内部空間から隔離され、通音孔２４として用いられるようになっている。
【００１７】
連結手段５は、前述した第２のスピーカー部１５に近接して配されており、第１、第２の筐体２，３の外方に露出しないように構成されている。この連結手段５は、第１の筐体２の表面２ａの基端部２ｃ側、及び、第２の筐体３の表面３ａの背面側に位置する裏面３ｅの基端部３ｃ側にそれぞれ形成された貫通孔３１，３３と、第１の筐体２の貫通孔３１より突出して固定された円筒状の連結部３５と、この連結部３５内で回転可能に係合され、第２の筐体３に固定された回転部材３６と、第２の軸線Ｌ２方向に回転部材３６及び連結部３５を貫通する連結ピン３７とを備えている。
【００１８】
連結手段５は、以上のように構成されているため、第２の筐体３を第１の筐体２に対して第１の軸線Ｌ１回りに回動させると共に、第２の筐体３を第１の筐体２に対して第２の軸線Ｌ２回りに揺動させることができる。
【００１９】
以上のように構成された携帯電話機１の使用方法について説明する。
【００２０】
この携帯電話機１を鞄や衣服のポケットに収容して携行する場合には、図１（ｂ）に示すように、２つの筐体２，３が互いに閉じられた状態となっており、第２のスピーカー部１５が第２の筐体３の外方に露出している。
【００２１】
この状態において、例えば、着信信号を受信して通話を行う場合には、第１及び第２のスピーカー部１３，１５から発生する音響により着信が報知されることになる。この際には、電気音響変換器１９から発生した音響が貫通孔２１，２３を通過し、貫通孔２１，２３に対向する外側壁部１７ｂにおいて反射し、第２の筐体３の表面３ａから離間する方向に伝播する。
【００２２】
携帯電話機１の操作者は、この音響により通話の着信を認識する。そして、例えば、図１（ａ）に示すように、第２の筐体３を第１の筐体２に対して第１の軸線Ｌ１回りに回動させて２つの筐体２，３を相互に開き、マイクロフォン部９及び第１のスピーカー部１３を通じて通話を開始する。ここで、マイクロフォン部９や第１のスピーカー部１３が口元や耳元から離間している場合には、第１の筐体２に対して第２の筐体３を第２の軸線Ｌ２回りに回動させて、マイクロフォン部９と第１のスピーカー部１３との相対位置を調整することができる。
【００２３】
上記のように、この第２のスピーカー部１５の構造によれば、音響を通過させる貫通孔２１，２３が凹部１７の内側壁部１７ａに形成され、第２の筐体３の表面３ａに開口していないため、塵、埃、液体等の異物が第２の筐体３の内部に侵入することを低減でき、電気音響変換器１９の損傷を抑制できる。
【００２４】
また、第２の筐体３の内部から貫通孔２１，２３を通過した音響が、外側に広がるように傾斜している凹部１７の外側壁部１７ｂにおいて反射し、第２の筐体３の表面３ａから離間する方向に伝播するため、電気音響変換器１９から発生した音響を効率よく第２の筐体３の外方に放出できる。したがって音響の音質低下を防止できる。
【００２５】
さらに、この第２のスピーカー部１５を備えた携帯電話機１によれば、塵、埃、液体等の異物が多い屋外において使用しても、電気音響変換器１９の損傷を抑制できるため、携帯電話機１の信頼性向上を図ることができる。
【００２６】
また、図１に示す携帯電話機１のように、第２の筐体３が第１の筐体２に重ねられ、第２の筐体３が第１の筐体２の表面２ａに対して第１の軸線Ｌ１回りに略平行に回動する構造においては、環状に形成された凹部１７が、連結手段５の近傍、すなわち、第１の軸線Ｌ１の近傍に配されているため、連結手段５を第１、第２の筐体２，３の外方に露出させなくても、凹部１７により囲まれた部分を指標として連結手段５の位置を容易に把握できる。また、連結手段５を外方に露出する必要がないため、良好な外観意匠を形成できる。
【００２７】
なお、上記の実施の形態においては、異物の侵入を低減できる構造を第２のスピーカー部１５に適用したが、これに限ることはなく、同様の構造を、例えば、第１のスピーカー部１３やマイクロフォン部９に適用してもよい。
【００２８】
例えば、マイクロフォン部に適用した場合には、筐体内部に設けられたマイクロフォン（電気音響変換器）の損傷を抑制できるという同様の効果を奏する。また、第２の筐体３の外方からの音響が、傾斜している凹部の側壁面において反射して貫通孔を通過し、音響を電気信号に変換するマイクロフォンに到達する。したがって、外方からの音響を効率よく集音できる効果を奏する。
【００２９】
また、電気音響変換器１９は、スピーカーのみからなるとしたが、これに限ることはなく、マイクロフォンのみからなるとしてもよいし、マイクロフォン及びスピーカーの両方を有するとしてもよい。
【００３０】
さらに、凹部１７を連結手段５の指標として使用しない場合には、異物の侵入を低減できる構造を有するスピーカー部やマイクロフォン部を連結手段５の近傍に配する必要はなく、また、凹部１７を環状に形成する必要もない。
【００３１】
また、携帯電話機１に限ることはなく、ＰＤＡやノートパソコンのように、２つの筐体を連結手段により互いに回動可能、かつ開閉自在に連結した携帯端末装置であればよい。また、携帯端末装置は、２つの筐体を有することに限ることはなく、例えば、１つの筐体から構成されていてもよい。
【００３２】
また、異物の侵入を低減できる構造を有するスピーカー部やマイクロフォン部は、携帯端末装置だけではなく、据え置き型の各種電子機器に適用されるとしても構わない。
【００３３】
以上、本発明の実施形態について図面を参照して詳述したが、具体的な構成はこの実施形態に限られるものではなく、本発明の要旨を逸脱しない範囲の設計変更等も含まれる。
【００３４】
以上説明したように、本発明によれば、使用者は、貫通孔を手掛かりに連結手段の配設位置を容易に把握できる。このため、連結手段を外方に露出させる必要がないため、良好な外観意匠を形成することもできる。また、貫通孔が凹部の側壁部に形成されるため、筐体内部への異物の侵入を低減できるため、電気音響変換器の損傷を抑制できる。
【図面の簡単な説明】
【００３５】
【図１】この発明の一実施形態に係る携帯電話機を示しており、（ａ）は、第１、第２の筐体を相互に開いた状態の平面図であり、（ｂ）は、第１、第２の筐体を相互に閉じた状態の平面図であり、（ｃ）は、第１、第２の筐体を相互に閉じた状態の側面図である。
【図２】図１の携帯電話機において、スピーカー部を示す拡大斜視図である。
【図３】図１の携帯電話機において、スピーカー部及び連結手段を示す拡大断面図である。
【符号の説明】
【００３６】
１  携帯電話機（携帯端末装置）
２  第１の筐体
３  第２の筐体
３ａ  表面
３ｅ  裏面（重合面）
５  連結手段
１５  第２のスピーカー部（電気音響変換器）
１７  凹部
１７ａ  内側壁部
１７ｂ  外側壁部
１７ｃ  底面
１７ｄ  表面（側壁部）
１７ｅ  表面
１９  電気音響変換器
２１，２３  貫通孔
２４  通音孔
Ｌ１  第１の軸線（基準軸線）
【図１】
2008005561.tif 000003
【図２】
2008005561.tif 000004
【図３】
2008005561.tif 000005